(57)【要約】      （修正有）【課題】複写紙をソートした場合の運搬時・配布時の「ばらけやすさ」と、ステープルを使用した場合の資源の消費、取り外しの手間を解決する。【解決手段】冊子型にコピーするため、複写するページの順番、配置を確定しなくてはならないが、「エコソートアルゴリズム」によりこれを実現する。【選択図】図３
2011059643.tif 000002
【特許請求の範囲】
【請求項１】
コピー機等における環境配慮型のソート機能。
【請求項２】
会議資料など、複数ページの資料を、複数の部数コピーする際に、ステイプル機能（ホチキスどめ）を使用せずに、冊子型にコピーすることにより、資料一式をばらけることなくまとめておくことができる「エコソート機能」。
冊子型にコピーするため、コピーのページの順番、配置を確定しなくてはならないが、「エコソートアルゴリズム」によりこれを実現する。
【発明の詳細な説明】
【技術分野】
【０００１】本発明は、コピー機等におけるソート機能「エコソーティング機能」に関するものである。
【背景技術】
【０００２】現在、会議資料など、複数ページの資料を、複数の部数コピーする際には、「ソート機能」や「ステイプル機能」（ホッチキスどめ）を使用することが一般的である。【０００３】「ソート機能」は、元紙（コピーのオリジナルとなる紙）の一式毎にコピーするものである。つまり、ａ−ｂ−ｃ−ｄの４ページで構成される元資料を３部コピーする場合には、ａ−ｂ−ｃ−ｄ、ａ−ｂ−ｃ−ｄ、ａ−ｂ−ｃ−ｄ、の順に複写紙（コピーされた紙）を排出するものである。
「ステイプル機能」は、ソート機能と同様の順に複写紙を排出するが、それぞれのセット毎（つまりａ−ｂ−ｃ−ｄの一式毎）にステイプル処理（ホッチキスどめ）を行い、複写紙（例えば会議資料）一式がばらけてしまうことのないように排出するものである。【０００４】「ソート機能」は、複写紙（コピーされた会議資料等）を持ち運ぶ際、会議で配布する際、会議で使用する際に、複写紙がばらけてしまう（順番がわからなくなる、他の一式と混ざってしまうなど）不便な点がある。
「ステイプル機能」は、複写紙がばらけてしまうことを回避でき便利であるが、ステイプル処理（ホッチキスどめ）がなされるため、金属を使用することから資源の消費という観点と、不要になった紙資源のリサイクル時にステイプル部を外す必要があるという観点など、「環境配慮型」ではない。
【先行技術文献】
なし
【特許文献】
【特許文献】なし
【非特許文献】
【非特許文献】なし
【発明の概要】
【０００５】「エコソーティング機能」を使用して複写したものを、中央で二つ折りにすると、元紙の複写一式が冊子として生成される。つまり、複写紙の真ん中で二つ折りにしてできあがった冊子のページをめくっていくと、元紙の資料の順番で読み進めることができるように配置して複写する機能が「エコソーティング機能」である。
また、同様の機能をプリンタ・ドライバに組み込めば、プリンタにも応用できる。
【発明が解決しようとする課題】
【０００６】「エコソーティング機能」を使用して生成する複写紙は、二つ折りの冊子型となるので、（０００４）で記述したような「ソート機能」の運搬時・配布時の「ばらけやすさ」と「ステイプル機能」の「環境・非配慮型」を解決する。【０００７】「エコソーティング機能」では、元紙の２倍の大きさの用紙に、片面に２ページ分を横に並べて複写する。【０００８】「エコソーティング機能」では、複写する用紙には、両面に複写する。（両面コピー）【０００９】「エコソーティング機能」では、前記（０００７）（０００８）の結果、複写する用紙１枚につき、元紙４ページ分を複写する。【００１０】複写する際は、元紙を読み取り（スキャンして）得られた原稿データを、一旦、メモリ（記憶装置）に記憶する。元紙の一式全ての原稿データを記憶してから、複写紙に印刷することとするが、その際の、ページの順番をどのようにするか、どのようにページを配置するかについては、「エコソーティング・アルゴリズム」に従って確定する。
【課題を解決するための手段】
【００１１】「エコソーティング・アルゴリズム」は、印刷する際の、ページの順番・配置を決めるものであり、以下の通りである。【００１２】例えば、元原稿が４ページだった場合は、複写する用紙の表面の左側にページ４を、その右側にページ１を、裏面の左側にページ２を、その右側にページ３を配置する。このように複写する際の順番・配置を決めるものが、「エコソーティング・アルゴリズム」である。このアルゴリズムにより４−１−２−３の順に複写することとなる。
複写した結果は、図１の通りになる。【００１３】例えば、元原稿が５ページだった場合は、複写する用紙１枚目の表面の左側は、空白にしておき、その右側にページ１を、裏面の左側にページ２を、その右側にページ５を配置する。
複写する用紙２枚目は、元紙と同じサイズの用紙とし、その表面にはページ３を、裏面にはページ４を配置する。
複写した結果は、図２の通りになる。【００１４】（００１２）（００１３）を一般化し、元原稿がｎページだった場合は、次のようなエコソート・アルゴリズムで配置を確定させる。
ＩＦ  （ｎ  ｍｏｄ  ４）  ＝  ０  ⇒  ＳＵＢ（０）
※ｎ  ｍｏｄ  ４は、元原稿ページ数ｎを４で割ったときの剰余の数。
ＩＦ  （ｎ  ｍｏｄ  ４）  ＝  １  ⇒  ＳＵＢ（１）
ＩＦ  （ｎ  ｍｏｄ  ４）  ＝  ２  ⇒  ＳＵＢ（２）
ＩＦ  （ｎ  ｍｏｄ  ４）  ＝  ３  ⇒  ＳＵＢ（３）
−−−−−−−−−−−−−
ＳＵＢ（０）
ｐ＝ｎ  ｄｉｖ  ４
※ｐ＝ｎ  ｄｉｖ  ４は、元原稿ページ数ｎを４で割ったときの商であり、複写紙に必要な枚数となる。
複写紙１枚目
表面  左側  ページｎ
表面  右側  ページ１
裏面  左側  ページ２
裏面  右側  ページｎ−１
複写紙２枚目
表面  左側  ページｎ−２
表面  右側  ページ３
裏面  左側  ページ４
裏面  右側  ページｎ−３
・・・
複写紙ｑ枚目
表面  左側  ページｎ−２（ｑ−１）
表面  右側  ページ２ｑ−１
裏面  左側  ページ２ｑ
裏面  右側  ページｎ−２（ｑ−１）−１
・・・
複写紙ｐ枚目
表面  左側  ページｎ−２（ｐ−１）
表面  右側  ページ２ｐ−１
裏面  左側  ページ２ｐ
裏面  右側  ページｎ−２（ｐ−１）−１
終了
−−−−−−−−−−−−
ＳＵＢ（１）
ｐ＝ｎ  ｄｉｖ  ４
複写紙１枚目
表面  左側  （空白）
表面  右側  ページ１
裏面  左側  ページ２
裏面  右側  ページｎ
複写紙２枚目
表面  左側  ページｎ−１
表面  右側  ページ３
裏面  左側  ページ４
裏面  右側  ページｎ−２
・・・
複写紙ｑ枚目
表面  左側  ページｎ−２（ｑ−１）＋１
表面  右側  ページ２ｑ−１
裏面  左側  ページ２ｑ
裏面  右側  ページｎ−２（ｑ−１）
・・・
複写紙ｐ枚目
表面  左側  ページｎ−２（ｐ−１）＋１
表面  右側  ページ２ｐ−１
裏面  左側  ページ２ｐ
裏面  右側  ページｎ−２（ｐ−１）
複写紙ｐ＋１枚目
ただし、複写する用紙は、元紙と同じサイズの用紙とする。
表面  ページ２ｐ＋１
裏面  ページ２ｐ＋２
終了
−−−−−−−−−−−
ＳＵＢ（２）
ｐ＝ｎ  ｄｉｖ  ４
複写紙１枚目
表面  左側  ページｎ
表面  右側  ページ１
裏面  左側  ページ２
裏面  右側  ページｎ−１
複写紙２枚目
表面  左側  ページｎ−２
表面  右側  ページ３
裏面  左側  ページ４
裏面  右側  ページｎ−３
・・・
複写紙ｑ枚目
表面  左側  ページｎ−２（ｑ−１）
表面  右側  ページ２ｑ−１
裏面  左側  ページ２ｑ
裏面  右側  ページｎ−２（ｑ−１）−１
・・・
複写紙ｐ枚目
表面  左側  ページｎ−２（ｐ−１）
表面  右側  ページ２ｐ−１
裏面  左側  ページ２ｐ
裏面  右側  ページｎ−２（ｐ−１）−１
複写紙ｐ＋１枚目
ただし、複写する用紙は、元紙と同じサイズの用紙とする。
表面  ページ２ｐ＋１
裏面  ページ２ｐ＋２
終了
−−−−−−−−−−−−
ＳＵＢ（３）
ｐ＝ｎ  ｄｉｖ  ４
複写紙１枚目
表面  左側  （空白）
表面  右側  ページ１
裏面  左側  ページ２
裏面  右側  ページｎ
複写紙２枚目
表面  左側  ページｎ−１
表面  右側  ページ３
裏面  左側  ページ４
裏面  右側  ページｎ−２
・・・
複写紙ｑ枚目
表面  左側  ページｎ−２（ｑ−１）＋１
表面  右側  ページ２ｑ−１
裏面  左側  ページ２ｑ
裏面  右側  ページｎ−２（ｑ−１）
・・・
複写紙ｐ枚目
表面  左側  ページｎ−２（ｐ−１）＋１
表面  右側  ページ２ｐ−１
裏面  左側  ページ２ｐ
裏面  右側  ページｎ−２（ｐ−１）
複写紙ｐ＋１枚目
表面  左側  ページｎ−２ｐ＋１
表面  右側  ページ２ｐ＋１
裏面  左側  ページ２ｐ＋２
裏面  右側  ページｎ−２ｐ
終了
−−−−−−−−−−−−−
【発明の効果】
【００１５】エコソーティング機能を用いて複写した複写紙は、元原稿の４分の１程度の枚数になるため、資料がばらけてしまうことを軽減できる。【００１６】複写紙の両面を使用することになるので、消費する紙資源を削減できる。【００１７】折り曲げることで、冊子のように形成することができるので、読みやすい。【００１８】ステイプルソートのように金属を使用しないので、消費資源の削減という観点と、使用後に不要になった紙資源のリサイクル時にステイプル部（ホッチキス部）の金属を外す必要がないという観点で、「環境配慮型」である。
（発明の応用形）【００１９】上記のエコソート・アルゴリズムは、「左開き」を例に記述してあるが、「右開き」の冊子のように生成したい場合は、複写する紙の右側・左側を入れ替えてアルゴリズムを作成すれば、同様に実現可能である。
【図面の簡単な説明】
【００２０】
【図１】元原稿が４ページだった場合の説明図である。（００１２）の補助説明図
【図２】元原稿が５ページだった場合の説明図である。（００１３）の補助説明図
【図３】元原稿が１２ページだった場合の説明図である。
【図１】
2011059643.tif 000003
【図２】
2011059643.tif 000004
【図３】
2011059643.tif 000005